【手続補正書】
【提出日】平成19年6月5日(2007.6.5)
【手続補正１】
【補正対象書類名】明細書
【補正対象項目名】特許請求の範囲
【補正方法】変更
【補正の内容】
【特許請求の範囲】
【請求項１】
撮像手段と、装着されるレンズの合焦位置を検出する焦点検出手段と、前記レンズよりの光束を前記撮像手段と前記焦点検出手段とに分割する光束分割手段と、前記撮像手段と前記光束分割手段との間に配置される光学部材とを有する自動合焦装置において、
前記光学部材によって生じる前記合焦位置のずれを示す補正データを記憶する補正データ記憶手段を有することを特徴とする自動合焦装置。
【請求項２】
前記補正データは、前記光学部材の無い時と有る時の前記合焦位置のずれ量の差分の、前記合焦位置を補正する為の補正量に相当するデータであることを特徴とする請求項１に記載の自動合焦装置。
【請求項３】
前記補正データは、関数により与えられたデータであり、該データを基に、前記合焦位置を補正する補正量を算出する演算手段を有することを特徴とする請求項１に記載の自動合焦装置。
【請求項４】
前記補正データは、絞り値毎に記憶されていることを特徴とする請求項１乃至３の何れかに記載の自動合焦装置。
【請求項５】
前記補正データ記憶手段にて記憶された補正データもしくは前記演算手段により算出された補正量によって前記焦点検出手段にて検出される合焦位置の情報に補正を加え、前記レンズの焦点調節情報を算出し、該焦点調節情報により前記レンズの駆動制御を行うレンズ制御手段を有することを特徴とする請求項１乃至４の何れかに記載の自動合焦装置。
【請求項６】
撮影時の絞り値を決定する露出決定手段を有し、前記レンズ制御手段は、前記補正データ記憶手段にて記憶されたデータもしくは前記演算手段により算出された補正量と前記撮影時の絞り値の情報を基に、前記焦点検出手段により検出される合焦位置の情報に補正を加え、前記レンズの焦点調節情報を算出することを特徴とする請求項５に記載の自動合焦装置。
【請求項７】
交換可能なレンズと、撮像手段、前記レンズの合焦位置を検出する焦点検出手段、前記レンズよりの光束を前記撮像手段と前記焦点検出手段とに分割する光束分割手段、及び、前記撮像手段と前記光束分割手段との間に配置される光学部材を具備するカメラ本体とにより構成されるカメラシステムにおいて、
前記光学部材によって生じる前記合焦位置のずれを示す補正データを記憶する補正データ記憶手段を有することを特徴とするカメラシステム。
【請求項８】
前記補正データは、前記光学部材の無い時と有る時の前記合焦位置のずれ量の差分の、前記合焦位置を補正する為の補正量に相当するデータであることを特徴とする請求項７に記載のカメラシステム。
【請求項９】
前記補正データは、関数により与えられたデータであり、該データを基に、前記合焦位置を補正する補正量を算出する演算手段を有することを特徴とする請求項７に記載のカメラシステム。
【請求項１０】
前記補正データは、絞り値毎に記憶されていることを特徴とする請求項７乃至９の何れかに記載のカメラシステム。
【請求項１１】
前記補正データ記憶手段にて記憶された補正データもしくは前記演算手段により算出された補正量によって前記焦点検出手段にて検出される合焦位置の情報に補正を加え、前記レンズの焦点調節情報を算出し、該焦点調節情報により前記レンズの駆動制御を行うレンズ制御手段を有することを特徴とする請求項７乃至１０の何れかに記載のカメラシステム。
【請求項１２】
撮影時の絞り値を決定する露出決定手段を有し、前記レンズ制御手段は、前記補正データ記憶手段にて記憶されたデータもしくは前記演算手段により算出された補正量と前記撮影時の絞り値の情報を基に、前記焦点検出手段により検出される合焦位置の情報に補正を加え、前記レンズの焦点調節情報を算出することを特徴とする請求項１１に記載のカメラシステム。
【請求項１３】
前記補正データ記憶手段は、前記交換可能なレンズもしくは前記カメラ本体の何れかに具備されることを特徴とする請求項７乃至１２の何れかに記載のカメラシステム。
【請求項１４】
撮影レンズを通過した光束を第１の光路を介して受光する焦点検出用センサと、該焦点検出用センサの出力よりデフォーカス値を検出する焦点検出装置とを有し、前記焦点検出装置により検出されたデフォーカス値に応じて前記撮影レンズを駆動してピント合わせを行うカメラシステムにおいて、
前記撮影レンズを介した光束を前記第１の光路とは異なる第２の光路を介して受光する撮像手段と、前記第２の光路に設けられた光学部材と、前記デフォーカス値に応じた合焦位置に前記撮影レンズを移動させた場合に、前記光学部材の影響により生じる前記撮像手段のデフォーカス状態を補正する為の補正データを記憶する記憶手段とを有し、
前記焦点検出装置にて検出されたデフォーカス値と前記補正データに基づき、前記撮像手段に対して結像する位置に前記撮影レンズを駆動することを特徴とするカメラシステム。
【請求項１５】
前記補正データは絞り値に応じて決定されるデータであり、前記撮影レンズの開放絞り値に応じて前記補正データを選択する選択手段を有することを特徴とする請求項１４に記載のカメラシステム。
【請求項１６】
前記記憶手段は、補正演算を行う際に用いられる値を前記補正データとして記憶しており、前記補正データにより補正値を演算し、該補正値と前記デフォーカス値に基づき、前記撮像手段に対して結像する位置に前記撮影レンズを駆動する駆動量を算出する演算手段を有することを特徴とする請求項１４に記載のカメラシステム。
【請求項１７】
前記演算手段は、開放絞り値を関数として前記補正データを用いて前記補正値を算出することを特徴とする請求項１６に記載のカメラシステム。
【請求項１８】
前記演算手段は、前記撮影レンズの特性による焦点ずれを補正する情報と前記補正値と前記デフォーカス値に基づき、前記撮像手段に対して結像する位置に前記撮影レンズを駆動する駆動量を算出することを特徴とする請求項１６又は１７に記載のカメラシステム。
【請求項１９】
前記撮影レンズは、カメラ本体に対して交換可能に設けられた交換レンズであり、前記記憶手段は、前記カメラ本体に配置されることを特徴とする請求項１４乃至１８の何れかに記載のカメラシステム。
【請求項２０】
前記撮影レンズは、該撮影レンズの特性による焦点ずれを補正する情報を記憶する焦点ずれ補正情報記憶手段を有することを特徴とする請求項１９に記載のカメラシステム。
【請求項２１】
開放絞り値と撮影時に設定される絞り値との差に応じて生じる焦点ずれを補正する為の焦点ずれ補正データを、更に前記記憶手段は記憶しており、
撮影時に設定される絞り値に応じて選択される前記焦点ずれ補正データと前記選択手段により選択された前記補正データと前記デフォーカス量に基づき、前記撮像手段に対して結像する位置に前記撮影レンズを駆動する駆動量が算出されることを特徴とする請求項１５に記載のカメラシステム。
【請求項２２】
開放絞り値と撮影時に設定される絞り値との差に応じて生じる焦点ずれを補正する為の焦点ずれ補正データを、更に前記記憶手段は記憶しており、
前記演算手段は、撮影時に設定される絞り値に応じて選択される前記焦点ずれ補正データと前記補正値と前記デフォーカス量に基づき、前記撮像手段に対して結像する位置に前記撮影レンズを駆動する駆動量を算出することを特徴とする請求項１７に記載のカメラシステム。
【請求項２３】
前記光学部材は、ローパスフィルタであることを特徴とする請求項１４乃至２２に記載のカメラシステム。
【手続補正２】
【補正対象書類名】明細書
【補正対象項目名】００１３
【補正方法】変更
【補正の内容】
【００１３】
同じく上記目的を達成するために、請求項７に記載の発明は、交換可能なレンズと、撮像手段、前記レンズの合焦位置を検出する焦点検出手段、前記レンズよりの光束を前記撮像手段と前記焦点検出手段とに分割する光束分割手段、及び、前記撮像手段と前記光束分割手段との間に配置される光学部材を具備するカメラ本体とにより構成されるカメラシステムにおいて、前記光学部材によって生じる前記合焦位置のずれを示す補正データを記憶する補正データ記憶手段を有するカメラシステムとするものである。
【手続補正３】
【補正対象書類名】明細書
【補正対象項目名】００１４
【補正方法】変更
【補正の内容】
【００１４】
同じく上記目的を達成するために、請求項１４に記載の発明は、撮影レンズを通過した光束を第１の光路を介して受光する焦点検出用センサと、該焦点検出用センサの出力よりデフォーカス値を検出する焦点検出装置とを有し、前記焦点検出装置により検出されたデフォーカス値に応じて前記撮影レンズを駆動してピント合わせを行うカメラシステムにおいて、前記撮影レンズを介した光束を前記第１の光路とは異なる第２の光路を介して受光する撮像手段と、前記第２の光路に設けられた光学部材と、前記デフォーカス値に応じた合焦位置に前記撮影レンズを移動させた場合に、前記光学部材の影響により生じる前記撮像手段のデフォーカス状態を補正する為の補正データを記憶する記憶手段とを有し、前記焦点検出装置にて検出されたデフォーカス値と前記補正データに基づき、前記撮像手段に対して結像する位置に前記撮影レンズを駆動するカメラシステムとするものである。
【手続補正４】
【補正対象書類名】明細書
【補正対象項目名】００４７
【補正方法】変更
【補正の内容】
【００４７】
【発明の効果】
以上説明したように、請求項１，７又は１４に記載の発明によれば、合焦精度を向上させることができる自動合焦装置又はカメラシステムを提供できるものである。